(57)【特許請求の範囲】
【請求項１】
撮像装置と記録装置とを備える画像処理システムであって、
前記撮像装置は、
被写体を含む領域を撮像し、画像データを出力する撮像手段と、
前記被写体を含む領域に向けて発光するフラッシュ手段と、
前記フラッシュ手段を本発光させて前記撮像手段による撮像を行う場合、当該撮像の前に前記フラッシュ手段をテスト発光させて前記撮像手段で撮像した画像データと、前記フラッシュ手段をテスト発光させずに前記撮像手段で撮像した画像データとから、前記被写体の領域の情報を検出する検出手段と、
前記撮像手段が出力した画像データと、当該画像データを撮像時の前記撮像装置の状態に関する撮影データを含む添付情報とを記録する記録手段と、
前記撮像手段と、前記フラッシュ手段と、前記検出手段と、前記記録手段とを制御する制御手段と、
前記記録手段に記録させた画像データと当該画像データの添付情報とを、接続される前記記録装置に転送するデータ転送手段と、を有し、
前記制御手段は、前記フラッシュ手段を本発光させて撮像が行われた場合に、前記検出手段により検出された前記被写体の領域の情報と、前記フラッシュ手段を本発光させて撮像が行われたことを示す情報とを前記添付情報に含め、当該撮像により得られた画像データとともに前記記録手段に記録させ、
前記記録装置は、
前記撮像装置から、画像データと当該画像データの添付情報とを受信するデータ受信手段と、
前記データ受信手段で受信した前記画像データの明るさを補正する補正手段と、
前記補正手段で補正された画像データを記録用紙に出力する印刷手段と、を有し、
前記補正手段は、前記データ受信手段で受信した画像データの添付情報に、
前記フラッシュ手段を本発光させて撮像が行われたことを示す情報が含まれる場合には、当該画像データの全領域のうち、前記添付情報に含まれる前記被写体の領域のみの情報で規定される、当該画像データの領域の輝度情報の解析に基づいて、当該画像データの明るさの補正量を決定し、
前記フラッシュ手段を本発光させて撮像が行われたことを示す情報が含まれない場合には、当該画像データの全領域の輝度情報の解析に基づいて当該画像データの明るさの補正量を決定する、
ことを特徴とする画像処理システム。
【請求項２】
前記制御手段は、前記フラッシュ手段をテスト発光させて前記撮像手段に撮像させて得られた画像データから、前記本発光時の前記フラッシュ手段の発光量を制御する、ことを特徴とする請求項１に記載の画像処理システム。
【請求項３】
前記検出手段は、前記フラッシュ手段をテスト発光させて撮像した画像データと、前記フラッシュ手段をテスト発光させずに撮像した画像データとの輝度情報の差分から前記被写体の領域を検出する、ことを特徴とする請求項１または２に記載の画像処理システム。
【請求項４】
撮像装置から、画像データと当該画像データを撮像時の前記撮像装置の状態に関する撮像データを含む添付情報とを受信するデータ受信手段と、
前記データ受信手段で受信した画像データの明るさを補正する補正手段と、
前記補正手段で補正された画像データを記録用紙に出力する印刷手段と、を有し、
前記補正手段は、前記データ受信手段で受信した画像データの添付情報に、
当該画像データがフラッシュ撮影により得られたことを示す情報が含まれる場合には、当該画像データの全領域のうち、前記添付情報に含まれる被写体の領域のみの情報で規定される、当該画像データの領域の輝度情報の解析に基づいて、当該画像データの明るさの補正量を決定し、
当該画像データがフラッシュ撮影により得られたことを示す情報が含まれない場合には、当該画像データの全領域の輝度情報の解析に基づいて当該画像データの明るさの補正量を決定する、
ことを特徴とする記録装置。
【請求項５】
画像データを記録用紙に出力する印刷手段を有する記録装置の制御方法であって、
撮像装置から、画像データと当該画像データを撮像時の前記撮像装置の状態に関する撮像データを含む添付情報とを受信するデータ受信工程と、
前記データ受信工程で受信した画像データの明るさを補正する補正工程と、
前記補正工程で補正された画像データを、前記印刷手段を用いて記録用紙に出力する出力工程と、を有し、
前記補正工程において、前記データ受信工程で受信した画像データの添付情報に、
当該画像データがフラッシュ撮影により得られたことを示す情報が含まれる場合には、当該画像データの全領域のうち、前記添付情報に含まれる被写体の領域のみの情報で規定される、当該画像データの領域の輝度情報の解析に基づいて、当該画像データの明るさの補正量を決定し、
当該画像データがフラッシュ撮影により得られたことを示す情報が含まれない場合には、当該画像データの全領域の輝度情報の解析に基づいて当該画像データの明るさの補正量を決定する、
ことを特徴とする記録装置の制御方法。
【請求項６】
コンピュータに、請求項５に記載の記録装置の制御方法の各工程を実行させるためのプログラム。
【請求項７】
請求項６に記載のプログラムを記録したコンピュータ読み取り可能な記録媒体。
【発明の詳細な説明】
【技術分野】
【０００１】
本発明は、フラッシュ撮影時の被写体領域の印刷記録が適切に実行される撮像装置、記録装置、画像処理システム、撮像装置の制御方法、記録装置の制御方法、プログラム及び記憶媒体に関する。
【背景技術】
【０００２】
近年、簡単な操作で画像を撮影し、その撮影した画像をデジタル信号である画像データに変換し、半導体のメモリ等に蓄積できる撮像装置（デジタルカメラともいう）が広く使用されるようになってきている。このデジタルカメラに蓄積した画像データは、パーソナルコンピュータ（ＰＣともいう）のディスプレイやテレビジョン受像機（ＴＶともいう）等で見ることが可能である。
【０００３】
また最近は、ＰＣを介することなく、直接、デジタルカメラから記録装置（プリンタともいう）に画像データを直接伝送し、記録画像を得ることが出来るダイレクトプリントシステムが提案されている。さらに、デジタルカメラで撮影して得られた画像データをメモリカード等の取り外し可能な半導体で構成される記憶媒体に記憶する。そして、この記憶媒体を直接プリンタに装着し、記憶媒体に記憶されている画像データの記録画像を印刷可能なプリンタ等も開発されている。
【０００４】
よく知られているように、プリンタで画像データを記録する際には、ＪＰＧフォーマットのＪＰＧ画像データに添付されるＥｘｉｆ規格に基づくＥｘｉｆ情報を用い、最適な画像処理を行い印刷するＥｘｉｆプリントがある。このＥｘｉｆ規格は、周知のようにＪＥＩＴＡによって規格化されたものであり、このＥｘｉｆ情報には露出時間、シャッタースピード、感度、フラッシュ発光等の撮影時の諸条件が記述されているのが一般的である。
【特許文献１】特開平１０−３３４２１２号公報
【発明の開示】
【発明が解決しようとする課題】
【０００５】
しかしながら、いかにＥｘｉｆ情報を用いて画像データを処理し、プリンタで記録しても、最適な画像補正がされないで記録される場合がある。例えば、夜にポートレート撮影をする場合に、フラッシュ撮影をする条件において、露出アンダーに撮影されて得られた画像データの被写体領域の明るさを適正に補正するとき、プリンタ側では画像データに含まれる被写体部分の領域が分からない。そのため、補正しようとする画像データにおいては、画像データ全体から評価値を取得するしかない。したがって、たとえＥｘｉｆ情報を用いた補正処理を行ってプリンタで記録する場合であっても、被写体領域に対して適正な補正を行うことは非常に困難だった。上記の問題を解決するためには、補正しようとする画像データの被写体部分の領域を判別する必要性があるが、残念ながら、Ｅｘｉｆ情報にはその被写体領域等を判別する情報を記述する規定が無い。したがって、現状のＥｘｉｆ情報だけでは、被写体領域を適度な明るさに補正することは不可能であった。
【０００６】
上記の課題を解決するため、本発明は、撮影時に得られる被写体領域の位置情報を印刷補正時に使用可能にすることで、被写体（領域）が最適な輝度で印刷出来る方式を提供することを目的とする。
【課題を解決するための手段】
【０００９】
上記の目的を達成するために、本発明の実施形態における画像処理システムは、撮像装置と記録装置とを備える画像処理システムであって、撮像装置は、被写体を含む領域を撮像し、画像データを出力する撮像手段と、被写体を含む領域に向けて発光するフラッシュ手段と、フラッシュ手段を本発光させて撮像手段による撮像を行う場合、当該撮像の前にフラッシュ手段をテスト発光させて撮像手段で撮像した画像データと、フラッシュ手段をテスト発光させずに撮像手段で撮像した画像データとから、被写体の領域の情報を検出する検出手段と、撮像手段が出力した画像データと、当該画像データを撮像時の撮像装置の状態に関する撮影データを含む添付情報とを記録する記録手段と、撮像手段と、フラッシュ手段と、検出手段と、記録手段とを制御する制御手段と、記録手段に記録させた画像データと当該画像データの添付情報とを、接続される記録装置に転送するデータ転送手段と、を有し、制御手段は、フラッシュ手段を本発光させて撮像が行われた場合に、検出手段により検出された被写体の領域の情報と、フラッシュ手段を本発光させて撮像が行われたことを示す情報とを添付情報に含め、当該撮像により得られた画像データとともに記録手段に記録させ、記録装置は、撮像装置から、画像データと当該画像データの添付情報とを受信するデータ受信手段と、データ受信手段で受信した画像データの明るさを補正する補正手段と、補正手段で補正された画像データを記録用紙に出力する印刷手段と、を有し、補正手段は、データ受信手段で受信した画像データの添付情報に、フラッシュ手段を本発光させて撮像が行われたことを示す情報が含まれる場合には、当該画像データの全領域のうち、添付情報に含まれる被写体のみの領域の情報で規定される、当該画像データの領域の輝度情報の解析に基づいて、当該画像データの明るさの補正量を決定し、フラッシュ手段を本発光させて撮像が行われたことを示す情報が含まれない場合には、当該画像データの全領域の輝度情報の解析に基づいて当該画像データの明るさの補正量を決定する、ことを特徴とする。
【００１０】
上記の目的を達成するために、本発明の、他の実施形態における記録装置は、撮像装置から、画像データと当該画像データを撮像時の撮像装置の状態に関する撮像データを含む添付情報とを受信するデータ受信手段と、データ受信手段で受信した画像データの明るさを補正する補正手段と、補正手段で補正された画像データを記録用紙に出力する印刷手段と、を有し、補正手段は、データ受信手段で受信した画像データの添付情報に、当該画像データがフラッシュ撮影により得られたことを示す情報が含まれる場合には、当該画像データの全領域のうち、添付情報に含まれる被写体のみの領域の情報で規定される、当該画像データの領域の輝度情報の解析に基づいて、当該画像データの明るさの補正量を決定し、当該画像データがフラッシュ撮影により得られたことを示す情報が含まれない場合には、当該画像データの全領域の輝度情報の解析に基づいて当該画像データの明るさの補正量を決定する、ことを特徴とする。
【００１１】
上記の目的を達成するために、本発明の、さらに他の実施形態における記録装置の制御方法は、画像データを記録用紙に出力する印刷手段を有する記録装置の制御方法であって、撮像装置から、画像データと当該画像データを撮像時の撮像装置の状態に関する撮像データを含む添付情報とを受信するデータ受信工程と、データ受信工程で受信した画像データの明るさを補正する補正工程と、補正工程で補正された画像データを、印刷手段を用いて記録用紙に出力する出力工程と、を有し、補正工程において、データ受信工程で受信した画像データの添付情報に、当該画像データがフラッシュ撮影により得られたことを示す情報が含まれる場合には、当該画像データの全領域のうち、添付情報に含まれる被写体のみの領域の情報で規定される、当該画像データの領域の輝度情報の解析に基づいて、当該画像データの明るさの補正量を決定し、当該画像データがフラッシュ撮影により得られたことを示す情報が含まれない場合には、当該画像データの全領域の輝度情報の解析に基づいて当該画像データの明るさの補正量を決定する、ことを特徴とする。
【００１２】
上記の目的を達成するために、本発明の、さらに他の実施形態においては、前記実施形態における撮像装置の制御方法に係る手順が記述されたコンピュータで実行可能なプログラムを提供する。
【００１３】
上記の目的を達成するために、本発明の、さらに他の実施形態においては、前記実施形態における記録装置の制御方法に係る手順が記述されたコンピュータで実行可能なプログラムを提供する。
【００１４】
上記の目的を達成するために、本発明の、さらに他の実施形態においては、前記実施形態における撮像装置の制御方法に係る手順が記述されたプログラムが記憶されたコンピュータ可読記憶媒体を提供する。
【００１５】
上記の目的を達成するために、本発明の、さらに他の実施形態においては、前記実施形態における記録装置の制御方法に係る手順が記述されたプログラムが記憶されたコンピュータ可読記憶媒体を提供する。
【発明の効果】
【００１６】
本発明によれば、撮影時に画像データを処理して得られる被写体領域の位置情報をプリンタ側に受け渡し、プリンタ側で補正時に使用することで被写体領域に適正な補正処理をかけた印刷が可能となる。また印刷時にも顔検出機能や赤目補正機能といった被写体領域の判別機能を用いることで、フラッシュ時の最適な補正処理を可能とする。
【発明を実施するための最良の形態】
【００１７】
＜実施形態１＞
本発明の実施形態１に係る画像処理システムは、図１に示すように、デジタルカメラ等の撮像装置１００と、撮像装置１００で撮像して得られた静止画像データを記録する記録装置２００とで構成される。この撮像装置１００と記録装置２００は、たとえば直接に接続ケーブル３００により接続される。この接続は、ＵＳＢケーブルを使用し、ＵＳＢ規格に基づきデータの交換をしたり、或いは、ＩＥＥＥ１３９４ケーブルを使用し、ＩＥＥＥ１３９４規格に基づきデータの交換を行う。この明細書では、ＵＳＢケーブルを使用する例として説明するが、これに限定するものではない。撮像装置１００から、直接ＵＳＢ接続ケーブル３００を介して静止画像データが記録装置２００に伝送され、記録装置２００で記録する構成となっている。なお、撮像装置１００と記録装置２００との接続は、ＵＳＢ接続ケーブル３００を使用することなく、無線ＬＡＮ、赤外線通信等、各種の無線通信技術で接続することも可能である。
【００１８】
まず撮像装置１００における静止画撮影時の処理について説明する。最初に操作部１０１に含まれるシャッターボタン等により、ユーザーが静止画撮影の指示を行う。制御部１０２は撮像装置１００全体を制御する回路で、通常ＣＰＵ、ＲＡＭ、ＲＯＭ等を含み、ＲＯＭに格納された制御用の各種プログラムや、本発明の機能を実現するプログラムに従って撮像装置１００全体を制御する。制御部１０２は、シャッターボタンの操作を受けると、ＡＦ(Auto Focus)処理部１０７、ＡＥ(Auto Exposure)処理部１０８へ、ＡＦ処理及びＡＥ処理の指示を与え、レンズ１０７ａ、メカ機構１０８ａが駆動され、最適なＡＦ処理及びＡＥ処理が実行される。
【００１９】
また、レンズ１０７ａ及びメカ機構１０８ａを通してＣＣＤ部１０３に投影される被写体像を含む撮像光はアナログ静止画像信号として取り出される。このアナログ静止画像信号はＡ／Ｄ変換部１０４においてディジタルの静止画像データに変換され、次段の画像処理部１０５に送られる。静止画撮影の終了の指示が、ユーザにより操作部１０１から入力されるまで、上記動作が繰り返される。また静止画撮影時に、操作部１０１を通じてフラッシュ発光が選択された場合には、ＥＦ(Electronic Flash)処理部１０９にてフラッシュ撮影用のフラッシュ発光処理を行う。
【００２０】
次に、フラッシュ発光処理において適正なフラッシュ発光量を求めるため、図２の（ａ）及び（ｂ）の動作フローチャートを用いて、フラッシュのテスト発光方式を用いたフラッシュ発光処理を説明する。ＥＦ処理部１０９では、テスト発光方式を用いたフラッシュ発光処理において、まず最初にＡで示すフラッシュのテスト発光を行う。次に、ＥＦ処理部１０９は、被写体からの反射光ＢをＣＣＤ部１０３で受けて、不足分の光量を算出する。ＥＦ処理部１０９は、かくして算出された不足分の光量を上乗せした本発光量をＣに示すようにフラッシュ部１１０に指示し、適正なフラッシュ発光量とされた本発光Ｄを行う。
【００２１】
またこのＥＦ処理部１０９では、上記したように静止画像データの被写体領域からの反射光をもって被写体が適正となる発光量を算出している。そのため静止画像データから被写体領域の切り出し処理を備えており、以下、図３を用いてその仕組みを説明する。
【００２２】
まずテスト発光する前の静止画像データを取得し、このテスト発光前静止画像データから、図３の（ａ）に示すｍ×ｎのマトリクスで構成される輝度ブロックａを算出する。次に、テスト発光前と同じ露出条件で、フラッシュのテスト発光を行い、テスト発光時静止画像データを取得し、同様にｍ×ｎのマトリクスで構成される輝度ブロックｂを取得する。これら、輝度ブロックａ及び輝度ブロックｂは、撮像装置１００が備えるＲＡＭ等に一時的に格納される。被写体画像の背景画像は、テスト発光前静止画像データと、テスト発光時静止画像データとで略変化がないものとする。したがって、この２つの輝度ブロックａと輝度ブロックｂの差分データは、フラッシュのテスト発光時における被写体領域からの反射光量となり、その差分データより被写体位置情報ｃを取得することが出来る。
【００２３】
ここで、各マトリクス内に記された数値は、各マトリクス内に含まれる画素の平均輝度値を表す。したがって、フラッシュのテスト発光時における背景画像からの反射光はないものとすれば、差分が０となるマトリクス部分は背景であり、差分が０とならない部分は被写体領域であることが分かる。尚、被写体位置情報ｃのマトリクスでは、差分が０とならない部分は１とされている。この被写体位置情報ｃを用いて、被写体領域に適正となるフラッシュの発光量を算出することが可能となる。かくして、ＥＦ処理部１０９では、被写体領域に適正なフラッシュの発光量となるように、フラッシュ部１１０を制御して静止画撮影が順次実行される。
【００２４】
すなわち、図２の（ｂ）で示すように、ステップＳ２００の処理の開始後、まずステップＳ２０１で、テスト発光前静止画像データが取得される。そしてステップＳ２０２に進み、図３の（ａ）の輝度ブロックａがバッファメモリに格納される。その後、ステップＳ２０３でフラッシュのテスト発光（図２（ａ）のＡ、Ｂ）を行い、テスト発光時静止画像データを取得する。そしてステップＳ２０４に進み、図３の（ｂ）の輝度ブロックｂがバッファメモリに格納される。ステップＳ２０５は、ＥＦ処理部１０９での処理を示し、バッファメモリに格納されたこの２つの輝度ブロックａと輝度ブロックｂの差分データから被写体位置情報ｃを取得する。ステップＳ２０６では、ＥＦ処理部１０９で、被写体領域に適正なフラッシュの発光量となるように、フラッシュ部１１０を制御して（図２（ａ）のＣ、Ｄ）本発光画像データを取得する。一方、ステップＳ２０７は、撮影データ作成部１１４での処理を示し、被写体位置情報ｃから、撮影データを作成する。
【００２５】
静止画撮影の終了の指示後、得られた静止画像データは画像処理部１０５を介してフォーマット変換部１１１に供給され、保存に適切な画像フォーマットに変換される。一般的には、静止画像データはＪＰＧフォーマットに従ったＪＰＧ静止画像データに変換され、画像データ記録部１１２に保存される。また、画像データ記録部１１２には、静止画像データと共に静止画撮影時の撮影データも保存される。すなわち、ＥＦ処理部１０９から得られた被写体位置情報ｃは、撮影データ作成部１１４に送られ、他の各種情報とともに、ＪＰＧ静止画像データに書き込まれる添付情報として撮影データに組み込まれる。
【００２６】
本実施形態１では、撮影データを、Ｅｘｉｆ情報のようにＪＰＧ静止画像データに書き込まれる添付情報として説明を行う。このとき同様に添付される撮影データとしては、上記した被写体位置情報ｃの他に、絞り値、シャッタースピード、ＩＳＯ感度、Ｂｖ値、露出補正値、フラッシュ発光量、撮影シーン情報、測光重み情報等の露出条件を含む。さらに、角速度センサによる手ぶれ情報や、レンズ情報、撮影時顔情報、ＡＦ合焦位置情報等も含む。なお上記の説明では、撮影データをＪＰＧ静止画像データ自体に添付するものとして説明したが、ＪＰＧ静止画像データとは別に途添付するサムネイルファイルとして記録してもよい。なお、撮像装置１００には、さらに、ＥＶＦ(Elecronic View Finder)表示部１０６、外部接続部１１３等を含むが、本発明を理解する上では、直接関係するものではないので、それらの説明は省略する。
【００２７】
次に、印刷画像を得る記録時の動作を説明する。上記したように画像データ記録部１１２に保存されたＪＰＧ静止画像データの中で、ユーザーがＥＶＦ表示部１０６で確認しながら、操作部１０１を使用して印刷記録したい画像を選択し、記録装置２００へ記録指令を発行する。上記の記録指令は、まず制御部１０２に伝達され、制御部１０２は画像データ記録部１１２に保存されている指定されたＪＰＧ静止画像データを選択する。かくして選択されたＪＰＧ静止画像データは、画像バッファ１１５に展開され、画像伸張部１１６、画像補正部１１７及び画像圧縮部１１８を通した後、画像送信部１１９より、ＵＳＢ接続ケーブル３００を経由して記録装置２００側へ送信される。
【００２８】
記録装置２００においては、以下説明するように動作する。すなわち、画像受信部２０１で受信した圧縮ＪＰＧ静止画像データを画像バッファ２０２に展開し、画像伸張部２０３へ渡す。画像伸張部２０３では、ＪＰＧ静止画像データを印刷記録に適した大きさとなるように、サイズ変更を行い、記録用補正値算出部２０４へ送る。
【００２９】
ここで、明るさの補正値取得に関し、図４のフローチャートを用いて説明する。すなわち、ステップＳ４０１での処理の開始後、ステップＳ４０２では、上記したように圧縮ＪＰＧ静止画像データを画像バッファ２０２に展開し、画像伸張部２０３で伸長した後に、ステップＳ４０３で、静止画像データおよび撮影データを取得する。
【００３０】
次に、ステップＳ４０４で撮影データを解析し、静止画像データがフラッシュ撮影で得られた画像データかどうかの判断を下す。フラッシュ撮影で得られた画像データでなかった場合には、ステップＳ４０８に進み、静止画像データより画面全体のある任意の分割数のマトリクスよりなる輝度ブロックを算出する。そしてステップＳ４０９で、得られた輝度ブロックから算出されたデータより画面全体の輝度評価値を求める。
【００３１】
一方、ステップＳ４０４で、フラッシュ撮影で得られた静止画像データであった場合、ステップＳ４０５に進み、撮像データに含まれる被写体位置情報ｃを取得する。ここでいう被写体位置情報ｃとは、フラッシュ撮影時に取得された被写体ブロック情報（図３の被写体位置情報ｃ）、撮影時の顔検出情報、ＡＦ合焦位置情報等であり、本件ではＪＰＧ静止画像データ内に上記項目が含まれているものとする。次にステップＳ４０６に進み、静止画像データより、被写体位置情報と対応したｍ×ｎの分割数のマトリクスから構成される輝度ブロックを算出する。この場合、印刷記録時のサイズ変更を考慮して位置ずれ分を補正する。そして、ステップＳ４０７で、被写体位置情報ｃと輝度ブロックより被写体領域のみの輝度値を取得し、これを被写体評価値とする。ステップＳ４１０では、ステップＳ４０７又はステップＳ４０９で決定された評価値から、印刷記録時の明るさ補正値を算出する。その後、ステップＳ４１１で処理を終了する。
【００３２】
明るさ補正値を取得した後、静止画像データはプリント用画像処理部２０６にて補正処理が実行され、その後、印刷部２０７にて補正された明るさでＪＰＧ静止画像データを記録用紙に印刷記録する。
【００３３】
＜その他の実施形態＞
以上、この発明の実施形態１について図面を参照して詳述してきたが、具体的な構成はこの実施形態１に限られるものではなく、この発明の要旨を逸脱しない範囲の設計変更等も含まれる。たとえば、実施形態１においては、ＪＰＧ静止画像データに撮影データが組み込まれて記録装置２００に伝送されることとした。しかしながら、図１の撮像装置１００に撮影データ送信部１２０を設け、記録装置２００には、撮影データ受信部２０５を設け、ＪＰＧ静止画像データとは別々に伝送する場合にも本発明は適用可能である。さらに、本実施形態１では、撮像装置と記録装置を直接リンクした時に、ユーザーにより画像補正処理が設定された場合であるが、ＰＣと記録装置が直接に接続される場合であっても、本発明を適用することが可能である。
【００３４】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。
【００３６】
また、コンピュータが読出したプログラムコードを実行することにより、前述した実施形態の機能が実現される場合もある。しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００３７】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００３８】
【図１】本発明が実施された実施形態における、撮像装置と記録装置とを備える画像処理システムの機能ブロック図である。
【図２】本発明の実施形態における撮像装置でのフラッシュ発光処理の手順の説明図である。
【図３】本発明の実施形態における記録装置での被写体位置を特定する手順の設明図及びフローチャート図である。
【図４】本発明の実施形態における画像処理システムの、記録装置における補正動作の手順を説明するフローチャート図である。
【図１】
0004829691.tif 000002
【図２】
0004829691.tif 000003
【図３】
0004829691.tif 000004
【図４】
0004829691.tif 000005